(57)【要約】【課題】紫外線センサのカソード電極の電極材料として、使用されるフィールドに応じた最適な金属を簡単に選定できるようにする。【解決手段】異なる金属材料毎にその金属材料の各面方位に対応する放電が生じるか否かの境界を示す指標（限界感度波長、仕事関数）が書き込まれたデータベースを設ける。カソード電極に要求される指標の範囲（例えば、限界感度波長２７０ｎｍ以上）が指定された場合、データベースからその指定された指標の範囲を満たす金属材料および面方位を抽出し、その抽出した金属材料および面方位をカソード電極の電極材料の選定候補としてディスプレイ１０７の画面に表示する。【選択図】  図１
2019020222.tif 000002
【特許請求の範囲】
【請求項１】
アノード電極とカソード電極との間の放電によって生じる電流に基づいて紫外線を検出する紫外線センサのカソード電極の電極材料の選定を支援するカソード電極選定支援方法であって、
異なる金属材料毎にその金属材料の各面方位に対応する放電が生じるか否かの境界を示す指標が書き込まれたデータベースを記憶するデータベース記憶ステップと、
前記カソード電極に要求される前記指標の範囲が指定された場合、前記データベースからその指定された指標の範囲を満たす金属材料および面方位を抽出し、その抽出した金属材料および面方位を前記カソード電極の電極材料の選定候補として提示する選定候補提示ステップと
を備えることを特徴とするカソード電極選定支援方法。
【請求項２】
請求項１に記載されたカソード電極選定支援方法において、
前記選定候補提示ステップは、
前記抽出した金属材料および面方位を所定の条件で絞り込んで前記カソード電極の電極材料の選定候補として提示する
ことを特徴とするカソード電極選定支援方法。
【請求項３】
請求項１に記載されたカソード電極選定支援方法において、
前記データベースには、
前記金属材料の面方位に対応して当該面方位への加工方法が付加されている
ことを特徴とするカソード電極選定支援方法。
【請求項４】
請求項１に記載されたカソード電極選定支援方法において、
前記データベースには、
前記金属材料として面心立方構造を有する金属材料の各面方位に対する前記指標が書き込まれており、
前記面心立方構造を有する金属材料の面方位（１１０）に対応して当該面方位への加工方法として圧延工法が付加されている
ことを特徴とするカソード電極選定支援方法。
【請求項５】
請求項１に記載されたカソード電極選定支援方法において、
前記データベースには、
前記金属材料として面心立方構造を有する金属材料の各面方位に対する前記指標が書き込まれており、
前記面心立方構造を有する金属材料の面方位（１００）に対応して当該面方位への加工方法として加熱工法が付加されている
ことを特徴とするカソード電極選定支援方法。
【請求項６】
アノード電極とカソード電極との間の放電によって生じる電流に基づいて紫外線を検出する紫外線センサのカソード電極の電極材料の選定を支援するカソード電極選定支援装置であって、
異なる金属材料毎にその金属材料の各面方位に対応する放電が生じるか否かの境界を示す指標が書き込まれたデータベースを記憶するデータベース記憶部と、
前記カソード電極に要求される前記指標の範囲が指定された場合、前記データベースからその指定された指標の範囲を満たす金属材料および面方位を抽出し、その抽出した金属材料および面方位を前記カソード電極の電極材料の選定候補として提示する選定候補提示部と
を備えることを特徴とするカソード電極選定支援装置。
【発明の詳細な説明】
【技術分野】
【０００１】
本発明は、紫外線センサのカソード電極の電極材料の選定を支援するカソード電極選定支援方法および装置に関する。
【背景技術】
【０００２】
従来より、自動車のボディーや部品の塗装ラインの乾燥炉、アルミや亜鉛ダイキャストの溶解炉、および金属部品の焼き入れ用の熱処理炉などの各種工業炉において、燃焼安全装置の火炎検出センサとして紫外線センサが用いられている。
【０００３】
図８を参照して、火炎検出センサとして用いられている紫外線センサの構成について説明する（例えば、特許文献１，２参照）。
【０００４】
図８において、１１はホウ珪酸ガラスで構成されたガラスパッケージである。ガラスパッケージ１１は、内部空間に特殊な混合ガス（ＮｅとＨ２の混合ガス）が一定圧で封入されている。また、ガラスパッケージ１１の上面には天板１２が設けられており、この天板１２には紫外線を透過できるガラスが使用されている。また、ガラスパッケージ１１の内部に、所定の間隙を隔てて互いの面（電極面）を対向させた円板状のカソード電極１３およびアノード電極１４が設けられている。
【０００５】
アノード電極１４には、このアノード電極１４をカソード電極１３が設けられている方向から支える複数の導電性の支柱１５（１５−１〜１５−３）の一端部がレーザ溶接されており、この導電性の支柱１５（１５−１〜１５−３）の他端部はガラスパッケージ１１の外部に引き出されている。また、アノード電極１４には、複数の貫通孔１４ａが網目状に形成されている。
【０００６】
カソード電極１３にも、アノード電極１４と同様、カソード電極１３を支える複数の導電性の支柱１６（１６−１〜１６−３）の一端部がレーザ溶接されており、この導電性の支柱１６（１６−１〜１６−３）の他端部はガラスパッケージ１１の外部に引き出されている。
【０００７】
このように構成された紫外線センサ１では、天板１２を通過した紫外線がアノード電極１４の貫通孔１４ａを通ってカソード電極１３に到達すると、光電効果により電子が放出され、その後、封入ガス・電圧により電子なだれが発生して放電が開始される。すなわち、アノード電極１４とカソード電極１３との間に電流が流れ、このアノード電極１４とカソード電極１３との間に流れる電流に基づいて、天板１２を通過した特定波長の紫外線のみが紫外線センサ１によって検出される。
【０００８】
なお、光電効果とは、物質が光を吸収した際に内部の電子が励起され、それに伴って電子が飛び出す現象を言う。この光電効果において、物質表面から電子を１つ取り出すのに必要なエネルギーは仕事関数と呼ばれ、入射される光のエネルギーをｈν、仕事関数をｗ、物質から飛び出す電子の運動エネルギーをＥとした場合（図９参照）、Ｅ＝ｈν−ｗと表される。
【先行技術文献】
【特許文献】
【０００９】
【特許文献１】特開２０１２−２５５７３０号公報
【特許文献２】特開２０１５−１１５２２８号公報
【発明の概要】
【発明が解決しようとする課題】
【００１０】
従来の紫外線センサでは、カソード電極の電極材料として、タングステン（Ｗ）が用いられている。このＷ電極タイプの紫外線センサでは、火炎を検出することができないフィールド（化学プラントの反応炉、製油所の硫黄回収炉、廃液処理プラント等）がある。このようなフィールドでは、カソード電極の電極材料を変更して、例えば２６０ｎｍ〜３００ｎｍというように、限界感度波長を拡大することが望まれる。
【００１１】
この場合、紫外線センサのカソード電極の電極材料として用いる金属の選定にあたっては、図１０示すような金属の種類毎に定められている仕事関数や限界感度波長を参照して、カソード電極に要求される仕様を満たす金属を選定しなくてはならない。
【００１２】
しかしながら、同じ金属であっても、限界感度波長や仕事関数は１つの値ではなく、ばらつき幅を持っている。これは金属の面方位が（１００）、（１１０）、（１１１）というように複数あり、面方位毎に限界感度波長や仕事関数が異なる所定の値をとるが（図１１参照）、通常、金属の中で（１００）面、（１１０）面、（１１１）面などがランダムに混ざって存在するため、同種の金属でもその面方位の混ざり具合（分布）が違うので結果的に異なった値となるからである。
【００１３】
このようなことから、従来において、紫外線センサのカソード電極の電極材料として、使用されるフィールドに応じた最適な金属を選定することは難しかった。
【００１４】
本発明は、このような課題を解決するためになされたもので、その目的とするところは、紫外線センサのカソード電極の電極材料として、使用されるフィールドに応じた最適な金属を簡単に選定することが可能なカソード電極選定支援方法および装置を提供することにある。
【課題を解決するための手段】
【００１５】
このような目的を達成するために本発明は、アノード電極（１４）とカソード電極（１３）との間の放電によって生じる電流に基づいて紫外線を検出する紫外線センサ（１）のカソード電極の電極材料の選定を支援するカソード電極選定支援方法であって、異なる金属材料毎にその金属材料の各面方位に対応する放電が生じるか否かの境界を示す指標が書き込まれたデータベース（ＤＢ１）を記憶するデータベース記憶ステップ（Ｓ１０１）と、カソード電極に要求される指標の範囲が指定された場合、データベースからその指定された指標の範囲を満たす金属材料および面方位を抽出し、その抽出した金属材料および面方位をカソード電極の電極材料の選定候補として提示する選定候補提示ステップ（Ｓ２０１〜Ｓ２０３）とを備えることを特徴とする。
【００１６】
この発明によれば、カソード電極に要求される指標（放電が生じるか否かの境界を示す指標）の範囲を指定すると、データベースからその指定された指標の範囲を満たす金属材料および面方位が抽出され、その抽出された金属材料および面方位がカソード電極の電極材料の選定候補として提示される。本発明において、放電が生じるか否かの境界を示す指標は、限界感度波長としてもよいし、仕事関数としてもよい。
【００１７】
なお、上記説明では、一例として、発明の構成要素に対応する図面上の構成要素を、括弧を付した参照符号によって示している。
【発明の効果】
【００１８】
以上説明したことにより、本発明によれば、異なる金属材料毎にその金属材料の各面方位に対応する放電が生じるか否かの境界を示す指標が書き込まれたデータベースから、指定された指標の範囲を満たす金属材料および面方位を抽出し、その抽出した金属材料および面方位をカソード電極の電極材料の選定候補として提示するようにしたので、紫外線センサのカソード電極の電極材料として、使用されるフィールドに応じた最適な金属を簡単に選定することが可能となる。
【図面の簡単な説明】
【００１９】
【図１】図１は、本発明の実施の形態に係るカソード電極選定支援装置のハードウェア構成の概略を示す図である。
【図２】図２は、このカソード電極選定支援装置の記憶装置に記憶させるデータベースの一例を示す図である。
【図３】図３は、このカソード電極選定支援装置のＣＰＵが実行するデータベースの記憶装置への記憶動作を示すフローチャートである。
【図４】図４は、このカソード電極選定支援装置のＣＰＵが実行するカソード電極選定支援プログラムに従う処理動作を示すフローチャートである。
【図５】図５は、ディスプレイの画面上に表示されたカソード電極の電極材料の選定候補を例示する図である。
【図６】図６は、カソード電極の電極材料にＣｕを採用した場合の分光測定結果を例示する図である。
【図７】図７は、ディスプレイの画面上に表示されたカソード電極の電極材料の選定候補の他の例を示す図である。
【図８】図８は、紫外線センサの要部を示す斜視図である。
【図９】図９は、光電効果によって飛び出す電子の運動エネルギーと入射される光のエネルギーと仕事関数との関係を説明する図である。
【図１０】図１０は、金属の種類毎に定められている仕事関数および限界感度波長を例示する図である。
【図１１】図１１は、金属の種類毎の各面方位がとる仕事関数を例示する図である。
【発明を実施するための形態】
【００２０】
以下、本発明の実施の形態を図面に基づいて詳細に説明する。図１に、本発明の実施の形態に係るカソード電極選定支援装置１００のハードウェア構成の概略を示す。
【００２１】
このカソード電極選定支援装置１００は、中央演算処理装置（ＣＰＵ）１０１と、ランダムアクセスメモリ（ＲＡＭ）１０２と、読み出し専用メモリ（ＲＯＭ）１０３と、ハードディスクなどの記憶装置１０４と、各種インタフェース１０５，１０６とを備えたコンピュータからなり、周辺機器として、ディスプレイ１０７やキーボード１０８、マウス１０９などを備えている。
【００２２】
なお、本実施の形態において、コンピュータとは、デスクトップ型コンピュータ、ノートブック型コンピュータ、タブレット端末、スマートフォンなどの様々なコンピュータを意味する。また、ディスプレイ１０７としては、ＬＣＤ（Liquid Crystal Display）、ＣＲＴ（Cathode Ray Tube）、あるいは、その他の表示装置が用いられていてもよい。また、マウス１０９の代わりに、タッチパネル、タッチパッド、トラックボール、ペンタブレット、あるいは、その他のポインティングデバイスが用いられていてもよい。
【００２３】
このカソード電極選定支援装置１００には、本実施の形態特有のプログラムとして、カソード電極選定支援プログラムＰＧ１がインストールされている。このカソード電極選定支援プログラムＰＧ１は、例えばＣＤ−ＲＯＭなどの記録媒体に記録された状態で提供され、この記録媒体から読み出されて記憶装置１０４に記録され、使用可能な状態としてカソード電極選定支援装置１００にインストールされている。なお、このカソード電極選定支援プログラムＰＧ１は、ネットワークを通してカソード電極選定支援装置１００に提供することも可能である。
【００２４】
また、記憶装置１０４には、異なる金属材料毎にその金属材料の各面方位に対応する仕事関数や限界感度波長（放電が生じるか否かの境界を示す指標）が書き込まれたデータベースＤＢ１が記憶されている。図２に、このデータベースＤＢ１の一例を示す。
【００２５】
金属は結晶構造によって体心立方構造（Ｗ：タングステンなど）と面心立方構造（Ｃｕ，Ｎｉ：銅，ニッケルなど）に分類されるが、金属で面方位が揃った場合には面方位毎に仕事関数や限界感度波長は１つの固定値を持つ。
【００２６】
例えば、仕事関数が４．５ｅＶ以下が要求される場合に、銅をカソード電極の電極材料として選定可能かどうか考慮すると、面方位が（１００）や（１１１）では要求を満たせないが、面方位を（１１０）に揃えれば要求を満たし、カソード電極の電極材料として選定できることがわかる。
【００２７】
また、限界感度波長２７０ｎｍが要求される場合に、銅をカソード電極の電極材料として選定可能かどうか考慮すると、面方位が（１１１）では要求を満たせないが、面方位を（１００）や（１１０）に揃えれば要求を満たし、カソード電極の電極材料として選定できることがわかる。
【００２８】
また、圧延のような強い加工を行うと、その金属の面方位は特定の面方位に揃う。この組織を圧延集合組織という。ＣｕやＮｉの圧延集合組織の面方位は（１１０）を示す。加熱を行うと再結晶が起こり、別の面方位に面方位がそろう。この組織を再結晶集合組織という。ＣｕやＮｉの再結晶集合組織は（１００）を示す。また、Ｃｕをメッキした場合には、その面方位は（１１１）となる。Ｗを圧延した場合には、その面方位は（１００）となり、Ｗの表面をスパッタリングした場合には、その表面の面方位は（１１０）となる。
【００２９】
なお、体心立方構造の金属と、面心立方構造の金属とでは、（１００）面、（１１０）面、（１１１）面の各面での仕事関数の大小関係は異なり、体心立方構造の金属の仕事関数の大小関係は、（１１１）面＜（１００）面＜（１１０）面であるが、面心立方構造の金属の仕事関数の大小関係は、（１１０）面＜（１００）面＜（１１１）面である。
【００３０】
このように、本実施の形態において、データベースＤＢ１には、各種の異なる金属材料毎に、その金属材料の各面方位に対応する仕事関数や限界感度波長と合わせて、その面方位への加工方法や結晶構造についても補足情報として付加されている。本実施の形態では、このようなデータベースＤＢ１を前もって作成しておき、記憶装置１０４に記憶させている（図３に示すステップＳ１０１）。
【００３１】
このカソード電極選定支援装置１００において、ＣＰＵ１０１は、インタフェース１０５，１０６を介して与えられる各種入力情報を処理することで、ＲＡＭ１０２やＲＯＭ１０３、記憶装置１０４にアクセスしながら、インストールされているカソード電極選定支援プログラムＰＧ１に従って動作する。
【００３２】
以下、このカソード電極選定支援プログラムＰＧ１に従ってＣＰＵ１０１が実行する処理動作について、図４に示すフローチャートを用いて説明する。なお、この例では、放電が生じるか否かの境界を示す指標として、限界感度波長を指定するものとする。この場合、限界感度波長として、その限界感度波長以上であるのか以下であるのかの範囲も含めて指定するものとする。
【００３３】
オペレータは、キーボード１０８やマウス１０９を操作することによって、所望の限界感度波長を指定する。例えば、紫外線センサのカソード電極の電極材料として限界感度波長２７０ｎｍ以上を満たす金属を探す場合、限界感度波長を２７０ｎｍ以上として指定する。
【００３４】
ＣＰＵ１０１は、限界感度波長が指定されると（ステップＳ２０１のＹＥＳ）、記憶装置１０４に記憶されているデータベースＤＢ１にアクセスして、指定された限界感度波長を満たす金属材料および面方位を抽出する。この場合、限界感度波長は２７０ｎｍ以上として指定されているので、Ｃｕの面方位（１００），（１１０）と、Ｗの面方位（１１１）とを抽出する。
【００３５】
そして、ＣＰＵ１０１は、この抽出した金属材料および面方位をカソード電極の電極材料の選定候補として、その面方位への加工方法などの補足情報と合わせて、ディスプレイ１０７の画面上に表示（提示）する（ステップＳ２０３）。
【００３６】
図５に、ディスプレイ１０７の画面上に表示されたカソード電極の電極材料の選定候補を示す。この例では、Ｃｕの限界感度波長の（１００）面および（１１０）面の項目と、Ｗの限界感度波長の（１１１）面の項目とを、補足情報と合わせて他と区別して表示するようにしている。
【００３７】
図５において、Ｃｕの（１００）面については、その面方位への加工方法が「加熱」であることが示され、Ｃｕの（１１０）面については、その面方位の加工方法が「圧延」であることが示されている。また、Ｃｕについては、その結晶構造が体心立方構造であることが示され、Ｗについては、その結晶構造が面心立方構造であることが示されている。
【００３８】
これにより、オペレータは、ディスプレイ１０７の画面上で、限界感度波長２７０ｎｍ以上を満たすカソード電極の電極材料の選定候補を知ることができ、紫外線センサのカソード電極の電極材料として、使用されるフィールドに応じた最適な金属を簡単に選定することが可能となる。
【００３９】
例えば、金属材料としてＷを採用する場合には、その面方位を（１１１）とする必要があることを知ることができる。また、金属材料としてＣｕを採用する場合には、その面方位を（１００）としたり、（１１０）とする必要があることを知ることができる。また、Ｃｕの面方位を（１００）とする場合には加熱処理を行えばよく、Ｃｕの面方位を（１１０）とする場合には圧延処理を行えばよいことを知ることができる。
【００４０】
また、カソード電極の電極材料にＣｕを採用することにより、初期の圧延集合組織の状態（（１１０）面）で２７７ｎｍの限界感度波長があり、放電の熱が加わり、再結晶により結晶構造が変わった場合でも、すなわち再結晶集合組織の状態（（１００）面）となった場合でも、限界感度波長が２７１ｎｍとなるので、限界感度波長２７０ｎｍ以上を実現することが可能であることを知ることができる。
【００４１】
図６に、カソード電極の電極材料にＣｕを採用した場合の分光測定結果を例示する。この分光測定結果からも、カソード電極の金属材料してＣｕを採用した場合、限界感度波長２７０ｎｍ以上を実現することができていることがわかる。
【００４２】
なお、上述した実施の形態では、放電が生じるか否かの境界を示す指標として限界感度波長を指定するようにしたが、仕事関数を指定するようにしてもよい。仕事関数を指定する場合にも、限界感度波長と同様、その仕事関数以上であるのか以下であるのかの範囲も含めて指定するものとする。また、限界感度波長や仕事関数について、上限値と下限値とで規定される範囲を指定するなどしてもよい。例えば、仕事関数を４.６以下として指定した場合、図７に示すように、カソード電極の電極材料の選定候補がディスプレイ１０７の画面上に表示される。
【００４３】
また、上述した実施の形態では、カソード電極の電極材料の選定候補を選定候補でないものも含めてディスプレイ１０７の画面上に表示するようにしたが、選定候補のみを表示するようにしてもよく、選定候補の金属材料、方位面、加工方法の組をリスト化して表示するようにしたりしてもよい。
【００４４】
また、抽出した金属材料および面方位を所定の条件（例えば、コスト、加工のし易さ、融点（融点が高い方がよい）など）で絞り込んで、カソード電極の電極材料の選定候補として表示するようにしてもよい。このようにすることによって、カソード電極の電極材料の選定候補を最終的に１つに絞るようにすれば、最適なカソード電極の電極材料の決定までの処理を自動化させることが可能となる。
【００４５】
また、上述した実施の形態では、カソード電極の電極材料の選定候補をディスプレイ１０７の画面に表示するようにしたが、紙面に打ち出すようにしてもよい。
【００４６】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４７】
１…紫外線センサ、１１…ガラスパッケージ、１３…カソード電極、１４…アノード電極、１００…カソード電極選定支援装置、１０１…ＣＰＵ、１０２…ＲＡＭ、１０３…ＲＯＭ、１０４…記憶装置、ＤＢ１…データベース、１０７…ディスプレイ。
【図１】
2019020222.tif 000003
【図２】
2019020222.tif 000004
【図３】
2019020222.tif 000005
【図４】
2019020222.tif 000006
【図５】
2019020222.tif 000007
【図６】
2019020222.tif 000008
【図７】
2019020222.tif 000009
【図８】
2019020222.tif 000010
【図９】
2019020222.tif 000011
【図１０】
2019020222.tif 000012
【図１１】
2019020222.tif 000013